(57)【要約】【課題】ＬＥＤチップとキャップとの位置合わせを正確に行うことができる照明器具を提供する。【解決手段】照明器具１０は、ＬＥＤチップ１５およびＬＥＤチップ１５を覆う蛍光体レンズ部１６をＬＥＤ基板１７に実装してなるＬＥＤユニット１４と、蛍光体レンズ部１６を囲うように形成され、その内面に反射面２０を有する反射板１９と、外周部にフランジ３５を有し、中央部が蛍光体レンズ部１６を覆う蛍光体キャップ１８と、を備え、反射板１９は、反射面２０より外側に蛍光体キャップ１８のフランジ３５を押えるための突出部３７を設けた。【選択図】図１３
2011159428.tif 000002
【特許請求の範囲】
【請求項１】
ＬＥＤチップおよび前記ＬＥＤチップを覆う蛍光体レンズ部をＬＥＤ基板に実装してなるＬＥＤユニットと、
前記蛍光体レンズ部を囲うように形成され、その内面に反射面を有する反射板と、
外周部にフランジを有し、中央部が前記蛍光体レンズ部を覆う蛍光体キャップと、
を備え、
前記反射板は、前記反射面より外側に前記蛍光体キャップの前記フランジを押えるための突出部を設けた照明器具。
【請求項２】
前記反射板の前記突出部は、その先端の角部がＲ形状に形成されている請求項１に記載の照明器具。
【請求項３】
前記蛍光体キャップと前記蛍光体レンズ部とは密着していない請求項１または請求項２に記載の照明器具。
【発明の詳細な説明】
【技術分野】
【０００１】
本発明は、ＬＥＤチップ（発光ダイオード）を光源として例えば天井施工面に埋設されるダウンライトに適用される照明器具に関する。
【背景技術】
【０００２】
従来の照明器具の一例として、複数のＬＥＤチップと光反射板と光拡散表面板とを具備したものがある（例えば、特許文献１参照）。
【先行技術文献】
【特許文献】
【０００３】
【特許文献１】特開２００８−２７０１４４号公報（図２、請求項１）
【発明の概要】
【発明が解決しようとする課題】
【０００４】
上記特許文献１に開示された従来の照明器具では、複数のＬＥＤチップの光軸上に光拡散表面板を配置することにより、光の指向性が強いＬＥＤチップであっても表面照度にムラが生じないようにしている。
一方、複数のＬＥＤチップの光軸上にＬＥＤチップからの光を光学的に処理するためのキャップを配置した照明器具がある。このような従来の照明器具においては、複数のＬＥＤチップがＬＥＤ基板上に実装されており、複数のＬＥＤチップと同数であって複数のＬＥＤチップを覆う複数のキャップが一体成形された単一のシートがＬＥＤ基板に組付けられる。しかし、このような従来の照明器具では、個々のＬＥＤチップに個々のキャップを位置合わせするのが難しく、個々のＬＥＤチップと個々のキャップとに位置ずれを生ずる。
従って、従来の照明器具では、光学的な処理を行う上での適正相対位置を設定することが難しい。
【０００５】
本発明は、前述した課題を解決するためになされたものであり、その目的は、ＬＥＤチップとキャップとの位置合わせを正確に行うことができる照明器具を提供することにある。
【課題を解決するための手段】
【０００６】
本発明に係る照明器具は、ＬＥＤチップおよび前記ＬＥＤチップを覆う蛍光体レンズ部をＬＥＤ基板に実装してなるＬＥＤユニットと、前記蛍光体レンズ部を囲うように形成され、その内面に反射面を有する反射板と、外周部にフランジを有し、中央部が前記蛍光体レンズ部を覆う蛍光体キャップと、を備え、前記反射板は、前記反射面より外側に前記蛍光体キャップの前記フランジを押えるための突出部を設けた。
【０００７】
本発明において、蛍光体キャップは、反射板の突出部によりフランジが押えられることにより蛍光体レンズ部を覆って組付けられる。そのため、本発明においては、個々の蛍光体レンズ部に対して個々の蛍光体キャップが独立して装着される。
従って、本発明においては、蛍光体レンズ部と蛍光体キャップとが個別に位置合わせされるために、ＬＥＤチップと蛍光体キャップとの位置合わせを正確に行うことができる。加えて、本発明においては、従来の照明器具のキャップと比べて、蛍光体キャップの変形およびひずみを少なくすることができる。
【０００８】
本発明に係る照明器具は、上記照明器具において、前記反射板の前記突出部は、その先端の角部がＲ形状に形成されている。
【０００９】
本発明において、蛍光体キャップのフランジは反射板の突出部に形成されているＲ形状の角部により押えられるためにキズ等の損傷を受けることがない。
【００１０】
本発明に係る照明器具は、上記照明器具において、前記蛍光体キャップと前記蛍光体レンズ部とは密着していない。
【００１１】
本発明において、蛍光体キャップと蛍光体レンズ部とは非接触に組付けられるために、蛍光体キャップと蛍光体レンズ部とが密着された場合と比べて、界面部に具合の悪い屈折を生ずることがなく、均一な光を放射することにより照射効率の低下を防止することができる。
【発明の効果】
【００１２】
本発明の照明器具によれば、蛍光体キャップは、反射板の突出部によりフランジが押えられることにより蛍光体レンズ部を覆って組付けられる。そのため、個々の蛍光体レンズ部に対して個々の蛍光体キャップが独立して装着される。
これにより、本発明の照明器具によれば、ＬＥＤチップと蛍光体キャップとの位置合わせを正確に行うことができるという効果を有する。
【図面の簡単な説明】
【００１３】
【図１】本発明に係る一実施形態の照明器具の平面図
【図２】図１の照明器具の一部破断側面図
【図３】図１の照明器具における器具本体の斜め下方から視た外観斜視図
【図４】図１の照明器具における枠部材の斜め上方から視た外観斜視図
【図５】図１の照明器具におけるＬＥＤユニットの平面図
【図６】図５のＬＥＤユニットの側面図
【図７】図１の照明器具における蛍光体キャップの底面図
【図８】図７の蛍光体キャップの垂直断面図
【図９】図１の照明器具における反射板部材の斜め上方から視た外観斜視図
【図１０】図９の反射板部材の斜め下方から視た外観斜視図
【図１１】図９の反射板部材の部分垂直断面図
【図１２】図１の照明器具におけるＬＥＤユニットと反射板部材との組立後の底面図
【図１３】図１２の垂直断面図
【発明を実施するための形態】
【００１４】
以下、本発明の一実施形態に係る照明器具について図面を参照して説明する。
本発明の一実施形態である照明器具１０は、器具本体１１と、枠部材１２と、放熱シート１３と、複数のＬＥＤチップ１５およびＬＥＤチップ１５を覆う複数の蛍光体レンズ部１６を単一のＬＥＤ基板１７に実装してなるＬＥＤユニット１４と、ＬＥＤチップ１５と同数の蛍光体キャップ１８と、反射面２０を有する反射板部材１９と、拡散パネル２１とを備えて天井施工面１に形成されている取付穴２に埋設されて設置される。
【００１５】
図１、図２、図３、図４に示すように、器具本体１１は、絶縁性を有する硬質な樹脂材料を用いて周板２２と底板２３とから有底の円筒形状に形成されている。器具本体１１には周板２２の天部に金属製の天板２４が取り付けられており、天板２４に電源ユニット２５および電源端子台２６が取り付けられている。電源端子台２６には外部の商用電源制御回路が接続される。電源ユニット２５と電源端子台２６とには器具配線２７が接続されており、電源ユニット２５からＬＥＤユニット１４へは器具配線２８が接続されている。器具本体１１は、底板２３に複数の配線挿通孔２９を有し、底板２３の底面に複数のＬＥＤチップ台座３０が突出形成されている。
【００１６】
枠部材１２は、器具本体１１と同様の絶縁性を有する硬質な樹脂材料を用いて円筒形状に形成されており、器具本体１１の底板２３の下面に取り付けられている。枠部材１２には、外周部に複数の取付バネ３１が取り付けられている。放熱シート１３は、放熱特性を有する材料を用いてＬＥＤ基板１７の外径寸法に略等しい外径寸法を有する円板形状に形成されており、器具本体１１の底板２３のＬＥＤチップ台座３０とＬＥＤユニット１４のＬＥＤチップ１５の上面との間に挟まれて組付けられている。拡散パネル２１は、透明なメタクリル機能成形材料を用いて円形に形成されており、枠部材１２の内周に組付けられている。
【００１７】
図５、図６に示すように、ＬＥＤユニット１４において、ＬＥＤ基板１７は略円形の板形状に形成されており、複数のＬＥＤチップ１５がＬＥＤ基板１７上に整列実装されている。ＬＥＤ基板１７にはＬＥＤチップ１５を覆う半球形状の蛍光体レンズ部１６が下面に向けて突出して実装されている。蛍光体レンズ部１６は、蛍光体を含有したシリコン樹脂により成形されており、ＬＥＤチップ１５からの光を効率的に取り出す機能を有する。ＬＥＤ基板１７の中央部には反射板部材１９の中央部に形成されているボス部（図１３参照）３２に外嵌されるボス孔３３が形成されている。ＬＥＤ基板１７には器具配線２８が電気的に接続されている。ＬＥＤユニット１４は器具配線２８から与えられた所定の電流により蛍光体レンズ部１６を通じてＬＥＤチップ１５が下方へ向けて光を出射する。
【００１８】
図７、図８に示すように、蛍光体キャップ１８は、蛍光体を含有したシリコン樹脂により所定の厚みを有して成形されており、中央部に半球形状に形成された光学処理部３４を有し、光学処理部３４の外周にフランジ３５を有する。光学処理部３４の内径寸法は蛍光体レンズ部１６の外径寸法よりもわずかに大きい。
ＬＥＤチップ１５は、その色温度が５０００Ｋであり、蛍光体キャップ１８により蛍光体キャップ１８の表面から出射される光の色温度が例えば３５００Ｋとされる。
蛍光体キャップ１８は、３５００Ｋに代えて２０００Ｋ〜７０００Ｋまでの間の任意の色温度を設定することができる。色温度は、昼光色Ｄが５７００Ｋ〜７１００Ｋに、昼白色Ｎが４６００Ｋ〜５４００Ｋに、白色Ｗが３９００Ｋ〜４５００Ｋに、温白色ＷＷが３２００Ｋ〜３７００Ｋに、電球色Ｌが２６００Ｋ〜３１５０Ｋに規定されている。
【００１９】
図９、図１０に示すように、反射板部材１９は、器具本体１１と同様な樹脂材料を用いて成形されており、ＬＥＤユニット１４におけるＬＥＤチップ１５（蛍光体レンズ部１６）の数および位置に相当する複数の反射面２０が円形のベース部３６に形成されている。反射面２０はＬＥＤチップ１５および蛍光体レンズ部１６を覆って凹状球面形状に形成されており、アルミニウムスパッタによる金属蒸着面になっている。
図１１に示すように、反射板部材１９には反射面２０の下端部の外側に蛍光体キャップ１８のフランジ３５を押圧するための環状の突出部３７が設けられており、突出部３７の先端部の角部にＲ形状部３８が形成されている。反射板部材１９には突出部３７の内周部に円環形状であって段部を有する切欠３９が形成されている。
【００２０】
図１２、図１３に示すように、蛍光体キャップ１８は反射板部材１９とＬＥＤ基板１７との間に組付けられている。このとき、個々の蛍光体キャップ１８は、光学処理部３４が個々の蛍光体レンズ部１６に光学的に位置合わせされてから、ＬＥＤ基板１７のボス孔３３が反射板部材１９に有するボス部３２に嵌め込まれることよりフランジ３５が突出部３７のＲ形状部３８に押圧されて光学処理部３４が蛍光体レンズ部１６に非接触で組付けられる。蛍光体キャップ１８は光学処理部３４が蛍光体レンズ部１６に光学的に位置決めされた際に接着剤や溶着等の接合手段によりＬＥＤ基板１７に固定されるようにしても良い。そして、蛍光体キャップ１８は、反射板部材１９の切欠３９により、光学処理部３４の周囲の反射板部材１９との間に放熱用空間部４０が形成されている。放熱用空間部４０はＬＥＤチップ１５、蛍光体レンズ部１６および光学処理部３４の発熱を反射板部材１９に直接伝えないようにする機能を有する。
【００２１】
このような照明器具１０は、取付バネ３１を垂直方向に弾性変形させておきながら器具本体１１および枠部材１２が天井施工面１の取付穴２に挿入される。そして、器具本体１１および枠部材１２の取付穴２への挿入が終了した後に取付バネ３１が弾性復元されることにより取付バネ３１が天井施工面１の上面に係止されて器具本体１１および枠部材１２が天井施工面１に支持される。外部の商用電源制御回路から電源端子台２６に所定の商用電源が与えられると、器具配線２７を通じて電源ユニット２５に商用電源が与えられ、電源ユニット２５により変換された直流電流が器具配線２８を通じてＬＥＤ基板１７に与えられることによりＬＥＤチップ１５が発光される。ＬＥＤチップ１５からの光は蛍光体レンズ部１６および蛍光体レンズ部１６に非接触の蛍光体キャップ１８の光学処理部３４を通じて反射面２０内に出射され、拡散パネル２１を通じて床面に照射される。このとき、ＬＥＤチップ１５からの光は蛍光体キャップ１８により所定の色温度に設定されて床面を照射することになる。
【００２２】
本発明の一実施形態の照明器具１０では、蛍光体キャップ１８は、反射板部材１９の突出部３７によりフランジ３５が押えられることにより蛍光体レンズ部１６を覆って組付けられる。そのため、本発明の一実施形態の照明器具１０では、個々の蛍光体レンズ部１６に対して個々の蛍光体キャップ１８が独立して装着される。
従って、本発明の一実施形態の照明器具１０では、蛍光体レンズ部１６と蛍光体キャップ１８とが個別に位置合わせされるために、ＬＥＤチップ１５と蛍光体キャップ１８との位置合わせを正確に行うことができる。加えて、本発明の一実施形態の照明器具１０では、従来の照明器具のキャップと比べて、蛍光体キャップ１８の変形およびひずみを少なくすることができる。
【００２３】
本発明の一実施形態の照明器具１０では、蛍光体キャップ１８のフランジ３５は反射板部材１９の突出部３７に形成されているＲ形状部３８により押えられるためにキズ等の損傷を受けることがない。
【００２４】
本発明の一実施形態の照明器具１０では、蛍光体キャップ１８と蛍光体レンズ部１６とは非接触に組付けられるために、蛍光体キャップ１８と蛍光体レンズ部１６とが密着された場合と比べて、界面部に具合の悪い屈折を生ずることがなく、均一な光を放射することにより照射効率の低下を防止することができる。
【００２５】
なお、前記一実施形態で使用した器具本体１１、枠部材１２、放熱シート１３、蛍光体レンズ部１６、拡散パネル２１等は例示したものに限定するものではなく適宜変更が可能である。
【符号の説明】
【００２６】
１０  照明器具
１１  器具本体
１４  ＬＥＤユニット
１５  ＬＥＤチップ
１６  蛍光体レンズ部
１７  ＬＥＤ基板
１８  蛍光体キャップ（キャップ）
１９  反射板部材（反射板）
２０  反射面
３５  フランジ
３７  突出部
３８  Ｒ形状部（Ｒ形状）
【図１】
2011159428.tif 000003
【図２】
2011159428.tif 000004
【図３】
2011159428.tif 000005
【図４】
2011159428.tif 000006
【図５】
2011159428.tif 000007
【図６】
2011159428.tif 000008
【図７】
2011159428.tif 000009
【図８】
2011159428.tif 000010
【図９】
2011159428.tif 000011
【図１０】
2011159428.tif 000012
【図１１】
2011159428.tif 000013
【図１２】
2011159428.tif 000014
【図１３】
2011159428.tif 000015